(57)【特許請求の範囲】
【請求項１】
解体工事を行う建物の前面側に設けられた解体工事養生用昇降ゲートであって、
建物の前面側に所定の間隔をおいて立設された２本の丸太と、
前記各丸太の所定の高さ位置に固定され、Ｌ型に曲折された板状部材と、螺旋状に曲成されて、該板状部材の外側面に、その軸線が該板状部材の曲折辺と立体的に直交するように固定された線材とを備えてなる滑車取付部材と、
前記各滑車取付部材の線材に各々掛着された滑車と、
前記各丸太の、前記各滑車取付部材の下方の所定の高さ位置に固定され、Ｌ型に曲折された板状部材と、Ｕ字状に曲成されて、該板状部材の外側面に、環を形成するように固定された線材とを備えてなる親綱緊張器取付部材と、
前記各親綱緊張器取付部材に各々連結された親綱緊張器と、
前記各滑車に各々滑動自在に支持されて、前記各親綱緊張器により緊張される索条と、
前記各索条により吊り下げられて、前記丸太間に横設された横桟と、
前記横桟に、吊着手段を介して吊設された養生シートとを具備したものであることを特徴とする解体工事養生用昇降ゲート。
【請求項２】
解体工事を行う建物の前面側に設けられた解体工事養生用昇降ゲートであって、
建物の前面側に所定の間隔をおいて立設された２本の丸太と、
前記各丸太の所定の高さ位置に固定され、Ｌ型に曲折された板状部材と、Ｕ字状に曲成されて、該板状部材の外側面に、環を形成するように固定された線材とを備えてなる滑車取付部材と、
前記各滑車取付部材の線材に各々掛着された滑車と、
前記各丸太の、前記各滑車取付部材の下方の所定の高さ位置に固定され、Ｌ型に曲折された板状部材と、Ｕ字状に曲成されて、該板状部材の外側面に、環を形成するように固定された線材とを備えてなる親綱緊張器取付部材と、
前記各親綱緊張器取付部材に各々連結された親綱緊張器と、
前記各滑車に各々滑動自在に支持されて、前記各親綱緊張器により緊張される索条と、
前記各索条により吊り下げられて、前記丸太間に横設された横桟と、
前記横桟に、吊着手段を介して吊設された養生シートとを具備したものであることを特徴とする解体工事養生用昇降ゲート。
【請求項３】
前記養生シートは、その両側縁の所要の高さ位置において、前記各丸太に固着されたものであることを特徴とする請求項１又は請求項２記載の解体工事養生用昇降ゲート。
【請求項４】
前記養生シートは、その下端に錘が設けられたものであることを特徴とする請求項１又は請求項２記載の解体工事養生用昇降ゲート。
【請求項５】
前記吊着手段は、
前記横桟に摺動自在に環装された複数のリング状部材と、
前記各リング状部材に各々連結され、前記養生シートの上端を掛止する養生シート掛止部材とを具備したものであることを特徴とする請求項１又は請求項２記載の解体工事養生用昇降ゲート。
【発明の詳細な説明】
【０００１】
【発明の属する技術分野】
本発明は、解体工事において、塵埃の飛散を防止すること等を目的に、解体される建物の周囲に設けられる養生に関するものである。
【０００２】
【従来の技術】
住宅等の建物を解体する場合には、塵埃や解体された部材の飛散等を防止して近隣の環境を保全するために、建物の周囲を養生する。該養生は、従来、図１３に示すように、解体すべき建物１の周囲に丸太足場２を組み、該丸太足場２に合成樹脂からなるシート３を張設することにより行われていた。
【０００３】
【発明が解決しようとする課題】
しかし、建物１の前面側（敷地の道路側）は、解体工事に必要な重機の搬入や解体した部材の搬出等のために、前記シート３を張設せずに開放し、その状態で解体工事を行っていた。そのため、開放された建物１の前面側から、塵埃や解体された部材が飛散して、近隣の環境を十分に保全することができなかった。また、解体により住宅内部が露呈されることとなるので、居住者のプライバシーを守ることもできなかった。さらに、解体工事が中断される夜間等において、工事関係者以外の者も容易に敷地内に入ることができるので、出火や事故等が生ずるおそれがあり、安全の確保を行う上でも問題があった。
【０００４】
一方、解体工事の作業時や中断時には、建物１の前面側に前記シート３を張設し、重機の搬入や部材の搬出毎に該シート３を取り外すような作業を繰り返すこととするのでは、解体工事の作業効率が著しく低下する。
【０００５】
本発明は、かかる問題に鑑みてなされたものであり、解体される建物の前面側の養生を、解体作業の効率を低下させることなく確実かつ簡便に行う手段を提供することを目的とする。
【０００６】
【課題を解決するための手段】
前記目的を達成するためになされた本発明の請求項１に係る解体工事養生用昇降ゲートは、解体工事を行う建物の前面側に設けられた解体工事養生用昇降ゲートであって、建物の前面側に所定の間隔をおいて立設された２本の丸太と、前記各丸太の所定の高さ位置に固定され、Ｌ型に曲折された板状部材と、螺旋状に曲成されて、該板状部材の外側面に、その軸線が該板状部材の曲折辺と立体的に直交するように固定された線材とを備えてなる滑車取付部材と、前記各滑車取付部材の線材に各々掛着された滑車と、前記各丸太の、前記各滑車取付部材の下方の所定の高さ位置に固定され、Ｌ型に曲折された板状部材と、Ｕ字状に曲成されて、該板状部材の外側面に、環を形成するように固定された線材とを備えてなる親綱緊張器取付部材と、前記各親綱緊張器取付部材に各々連結された親綱緊張器と、前記各滑車に各々滑動自在に支持されて、前記各親綱緊張器により緊張される索条と、前記各索条により吊り下げられて、前記丸太間に横設された横桟と、前記横桟に、吊着手段を介して吊設された養生シートとを具備したものである。
【０００７】
また、本発明の請求項２に係る解体工事養生用昇降ゲートは、解体工事を行う建物の前面側に設けられた解体工事養生用昇降ゲートであって、建物の前面側に所定の間隔をおいて立設された２本の丸太と、前記各丸太の所定の高さ位置に固定され、Ｌ型に曲折された板状部材と、Ｕ字状に曲成されて、該板状部材の外側面に、環を形成するように固定された線材とを備えてなる滑車取付部材と、前記各滑車取付部材の線材に各々掛着された滑車と、前記各丸太の、前記各滑車取付部材の下方の所定の高さ位置に固定され、Ｌ型に曲折された板状部材と、Ｕ字状に曲成されて、該板状部材の外側面に、環を形成するように固定された線材とを備えてなる親綱緊張器取付部材と、前記各親綱緊張器取付部材に各々連結された親綱緊張器と、前記各滑車に各々滑動自在に支持されて、前記各親綱緊張器により緊張される索条と、前記各索条により吊り下げられて、前記丸太間に横設された横桟と、前記横桟に、吊着手段を介して吊設された養生シートとを具備したものである。
【０００８】
前記請求項１又は請求項２に係る解体工事養生用昇降ゲートにより、養生シートが吊着された横桟が、索条の滑動により丸太間の任意の高さに位置せしめられて、解体すべき建物の前面側が養生される。また、解体した部材を搬出する際には、横桟を容易に降下させて、建物の前面側を開放することができる。
【０００９】
また、本発明（請求項３）は、請求項１又は請求項２記載の解体工事養生用昇降ゲートにおいて、前記養生シートは、その両側縁の所要の高さ位置において、前記各丸太に固着されたものである。
【００１０】
また、本発明（請求項４）は、請求項１又は請求項２記載の解体工事養生用昇降ゲートにおいて、前記養生シートは、その下端に錘が設けらたものである。
【００１１】
また、本発明（請求項５）は、請求項１又は請求項２記載の解体工事養生用昇降ゲートにおいて、前記吊着手段は、前記横桟に摺動自在に環装された複数のリング状部材と、前記各リング状部材に各々連結され、前記養生シートの上端を掛止する養生シート掛止部材とを具備したものである。
【００１２】
これにより、横桟に吊設された養生シートが片方の丸太側に摺動されて、丸太間が開放される。
【００１３】
【発明の実施の形態】
以下、本発明の実施の形態を図面に基づき具体的に説明する。
図１は、本発明の実施の形態に係る解体工事養生用昇降ゲートの概略構成を示す正面図であり、図において、本解体工事養生用昇降ゲート１００は、建物１（図示せず）の前面側に所定の間隔をおいて立設された２本の丸太１０１と、各丸太１０１の所定の高さ位置に固定された滑車取付金具（滑車取付部材）１０２と、各滑車取付金具１０２に各々掛着された滑車１０３と、各丸太１０１の、前記各滑車取付金具１０２の下方の所定の高さ位置に固定された親綱緊張器取付金具（親綱緊張器取付部材）１０４と、各親綱緊張器取付金具１０４に各々連結された親綱緊張器１０５と、各滑車１０３に各々滑動自在に支持されて、各親綱緊張器１０５により各々緊張されるロープ（索条）１０６と、各ロープ１０６により吊り下げられて、丸太間１０１に横設された横桟１０７と、横桟１０７に、吊着手段１０９を介して吊設された養生シート１０８とを具備したものである。
【００１４】
丸太１０１は、従来の養生において、丸太足場２として使用していたものと同様のものであり、解体すべき建物１の前面側に設けられている。該丸太１０１間のスペースは敷地内への出入口となるので、搬出入する重機や部材の幅を考慮して２本の丸太１０１の間隔を設定する。また、丸太１０１の長さは、解体すべき建物を完全に養生するために、該建物の高さと同程度、又はそれより長いものが好適である。
【００１５】
滑車取付金具１０２は、図２に示すように、Ｌ型アングル（板状部材）２０と、螺旋状に曲成されて、該Ｌ型アングル２０の外側面に、その軸線Ｘが該Ｌ型アングル２０の曲折辺２０ａと立体的に直交するように固定された鋼線材（線材）２１とからなるものである。該鋼線材２１は、直径が数ｍｍ程度の容易に変形しないものであり、図に示すように、螺旋状に１回転半程度曲成されて、前記Ｌ型アングル２０の曲折辺２０ａに、鋼線材２１に滑車１０３が掛止できるように、すなわちその両端が下方に位置しないような姿勢で溶接されている。
【００１６】
なお、前記鋼線材２１の軸線ＸとＬ型アングル２０の曲折辺２０ａとは立体的に直交するものであるが、該直交は厳密に交叉角が直角であることを示すものではなく、成形や加工上の必要に応じて若干の余裕角度を含む範囲のものである。
【００１７】
滑車１０３は、図３に示すように、枠体３０と、枠体３０を貫通して設けられた軸３１と、軸３１に回転自在に設けられた車輪３２と、枠体３０の上面に設けられた掛着部３３とからなるものであり、該掛着部３３は、前記滑車取付金具１０２の鋼線材２１に環装される環を有するものである。なお、図において、１点鎖線はロープ１０６を示している。
【００１８】
なお、本発明においては、前記滑車１０３以外に、周知な任意の形状のものに滑車取付金具１０２に掛着するための掛着部が設けられたその他の構造のものを用いることができ、また、掛着部も前記掛着部３３に限定されるものではなく、例えばＳ字状の部材等のその他形状の部材を掛着部として設けることができる。
【００１９】
図４は、前記丸太１０１の所定の高さ位置に、滑車取付金具１０２及び滑車１０３を取り付けた状態を示すものであるが、図に示すように、丸太１０１各々に、滑車取付金具１０２が、Ｌ型アングル２０の内側面を丸太１０１の周側面に押し当てられて番線により締着され、該滑車取付金具１０２の螺旋状の鋼線材２１に、滑車１０３の掛着部３３が環装されて、滑車１０３が掛着される。このように取り付けられた滑車１０３により、ロープ１０６が滑動自在に支持される。
【００２０】
親綱緊張器取付金具１０４は、図５に示すように、Ｌ型アングル（板状部材）４０と、Ｕ字状に曲成されて、該Ｌ型アングル４０の外側面に環を形成するように固定された鋼線材（線材）４１とからなるものである。該鋼線材４１は、図に示すように、前記Ｌ型アングル４０の曲折辺４０ａに、その両端部が溶接されて環を形成している。
【００２１】
図６は、親綱緊張器１０５の構成を示す一部を破断した平面図であり、図に示すように、親綱緊張器１０５は、内部が空洞である直方体状の本体５０と、本体５０の内部空間に設けられた歯形軸５１に設けられた歯形５２と、一端側が、本体５０の内壁に設けられたバネ受け５３に係止され、他端側が、歯形５２の側縁に係止されるように、前記歯形軸５１に環装された歯形スプリング５４と、本体５０の内部空間に、歯形５２の先端から所定間隔を離間して設けられた親綱受金具５５と、該親綱受金具５５の側方であって、歯形スプリングが付勢する方向と逆方向側に設けられた補助滑車５６と、本体５０の外壁であって親綱緊張金具５５が設けられた側と反対側に設けられたアイボルト５７とを具備してなるものである。なお、図において、１点鎖線はロープ１０６を示している。
【００２２】
歯形５２は、親綱受金具５５との距離が最も狭くなる位置から時計回りに回動自在となり、かつ、該位置から反時計回り方向へは回動することができないように歯形軸５１に設けられている。一方、歯形スプリング５３は線バネであって、歯形５２を矢印Ａの方向に付勢している。ここで、図において１点鎖線で示す位置に矢印Ｂの方向からロープ１０６が挿入され、さらに、矢印Ｃの方向へロープ１０６が引っ張られる場合には、歯形５２は矢印Ａと反対方向、すなわち時計回りに回動する。これにより、歯形５２と親綱受金具５４との間の距離は広がり、ロープ１０６は矢印Ｃの方向の力に応じて親綱受金具５４に沿って摺動する。一方、矢印Ａと逆方向にロープ１０６が引っ張られる場合には、ロープ１０６との摩擦により歯形５２は反時計回りに回動して、歯形５２と親綱受金具５４との間の距離は狭まり、ロープ１０６は歯形５２と親綱受金具５４とで挟まれることによりロックされる。したがって、一旦、矢印Ｃの方向に引っ張られたロープ１０６は逆方向に戻されることがない。
【００２３】
一方、歯形５２を矢印Ａと反対方向に強制的に回動させて、歯形５２と親綱受金具５４との間の距離を広げた状態に維持すれば、ロープ１０６は、作用する力に応じていずれの方向にも摺動される。
【００２４】
なお、前記親綱緊張器１０５は一例であって、本発明においては、これに代えて、その他の周知な任意の構成の親綱緊張器を用いることができる。
【００２５】
図７は、前記丸太１０１の所定の高さ位置に、親綱緊張器取付金具１０４及び親綱緊張器１０５を取り付けた状態を示すものであるが、図に示すように、２本の丸太１０１各々に、親綱緊張器取付金具１０４が、Ｌ型アングル４０の内側面を丸太１０１の周側面に押し当てるようにして番線により固定され、該親綱緊張器取付金具１０４のＵ字状の鋼線材４１に、カラビナ４２を介して親綱緊張器１０５のアイボルト５６が連結される。ロープ１０６には、横桟１０７及び養生シート１０８の荷重により、常に上方向の引っ張り力が作用しており、親綱緊張器１０５がロープ１０６の上方向への摺動をロックすることにより、ロープ１０６が緊張された状態に維持される。一方、親綱緊張器１０５によれば、ロープ１０６の下方向への摺動は自在であるので、作業者はロープ１０６を下方向へ任意の長さだけ引っ張ることができる。
【００２６】
なお、親綱緊張器１０５を親綱緊張器取付金具１０４に連結するために、前記カラビナ４２に代えて、例えば大型フックを用いてもよく、また、親綱緊張器１０５を親綱緊張器取付金具１０４に直接溶接することとしてもよい。
【００２７】
横桟１０７は、その長さ寸法が前記２本の丸太１０１の間隔より若干長い単管であって、図８に示すように、その両端付近に、単管クランプ７０が各々装着されている。各単管クランプ７０の上面には結着部７１が設けられており、該結着部７１に前記滑車１０６に滑動自在に支持されたロープ１０６が各々結び付けられることにより、横桟１０７が２本の丸太１０１間に横設され、ロープ１０６の動作に応じて昇降するものとなる。
【００２８】
なお、横桟１０７は必ずしも１本の単管である必要はなく、数本の単管を適当な継ぎ手により連結したものを用いてもよい。また、横桟１０７に前記単管クランプ７０を装着せず、横桟１０７の両端にロープ１０６を直接結び付けるものとしてもよい。
【００２９】
養生シート１０８は、横寸法が横桟１０７の長さ寸法より若干短く、縦寸法が滑車取付金具１０２が設けられた所定の高さ位置より若干短い矩形のものである。養生シート１０８の周縁には、一定の間隔で穴が設けられており、該穴に鳩目８０が配設されている。また、養生シート１０８は、ポリエステル等の合成樹脂からなるものであり、近隣環境に応じて、防炎性や防音性を備えたものを使用する。
【００３０】
吊着手段１０９は、図９に示すように、前記横桟１０７に摺動自在に環装されるステンリング（リング状部材）９０と、該ステンリング９０に連結された回転ナスカン（養生シート掛止部材）９１とからなる。回転ナスカン９１は、ステンリング９０と連環する環状部９１ａと、前記養生シート１０８を掛着するフック部９１ｂとからなり、図に示すように、該フック部９１ｂは、通常はバネ９１ｃにより環が閉じた状態となっているが、矢印方向の外圧によりバネ９１ｃが縮退して環が開いた状態となる。したがって、前記横桟１０７に環装された複数の吊着手段１０９のフック部９１ｂが、前記養生シート１０８上端の鳩目８０を各々掛止することにより、養生シート１０８が横桟１０７に吊設される。
【００３１】
横桟１０７に吊着された養生シート１０８は、図１に示すように、その両側縁において、下端から縦寸法の３分の１程の位置で各丸太１０１に紐９１で固着されている。これにより、横桟１０７を降下させた場合には、養生シート１０８は各丸太１０１に固着された位置から三つ折り状に畳まれることとなる。
なお、養生シート１０８の両側を丸太１０１に固着すべき高さ位置は、解体された部材の搬出等において横桟１０７を降下する高さ位置を考慮して、養生シート１０８が地面に垂れてしまわない程度に適宜設定すればよい。
【００３２】
さらに、養生シート１０８の下端には、錘としての丸太９２が、鳩目８０に通された紐により固定されている。該丸太９２は、風等により養生シート１０８に生じた浮揚力に抵抗して、養生シート１０８の下端が捲れ上がることを防止するために設けられるものである。
【００３３】
以下、本実施の形態に係る解体工事養生用昇降ゲート１００の使用方法について説明する。
図１に示したように、各丸太１０１間に、ロープ１０６に吊り下げられて横設された横桟１０７は、ロープ１０６の動作に応じて昇降するものとなっている。したがって、作業者がロープ１０６を下方向へ引っ張り、横桟１０７を滑車１０３付近まで上昇させれば、横桟１０７に吊設された養生シート１０８により、建物１の前面側が養生される。また、親綱緊張器１０５により、一旦、引っ張られたロープ１０６は上方向の引っ張り力に対してロックされているので、逆方向に戻されることがなく、横桟１０７は、滑車１０３付近の高さ位置に維持される。
【００３４】
これにより、解体工事の作業中断時には、関係者以外が敷地内へ立ち入れないので火災や事故を未然に防止でき、また敷地の内部に重機やトラック等を保管した場合には、その盗難等を防止することもできる。さらに、解体工事の作業時においても、解体されている建物の内部が道路側に露呈されないのでプライバシーが確保され、また、解体工事による塵埃や解体された部材の飛散を防止することもできる。
【００３５】
一方、親綱緊張器１０５のロックを解除して、ロープ１０６を送り出し、横桟１０７を任意の高さ位置、例えばトラックの荷台の位置まで降下してから、再度、親綱緊張器１０５をロックして、横桟１０７を任意の高さ位置に維持する。これにより、図１０に示すように、解体工事の作業中において、養生シート１０８を取り外すことなく、横桟１０７の上方から解体された部材を重機４により道路のトラック５に搬出することができる。また、横桟１０７から下方は養生シート１０８により養生されているので、塵埃や解体された部材の飛散を最小限にとどめることができる。
これは、敷地内に解体された部材を運搬するためのトラック５等を停車させるスペースがない場合に、特に有用な開放手段となる。
【００３６】
また、横桟１０７を滑車１０３付近まで上昇した状態において、養生シート１０８の下端から錘としての丸太９２を取り外し、図１１に示すように、該養生シート１０８を左右のいずれかに寄せ集めれば、丸太１０１間を容易に開放することができる。これにより、開放された丸太１０１間から重機４やトラック５等の出入を行うことができる。
これは、敷地内に解体された部材を運搬するためのトラック５等を停車させることができる場合に、特に有用な開放手段となる。
【００３７】
以下、本実施の形態の変形例について、図１２を用いて説明する。
本変形例は、前記滑車取付金具１０２に代えて、Ｌ型アングル２０と、Ｕ字状に曲成されて、該Ｌ型アングルの外側面に環を形成するように固定された鋼線材（線材）２１ａとからなる滑車取付金具１０２ａを用いたものであり、その他の構成は、前記実施の形態に係る解体工事養生用昇降ゲート１００と同様のものである。なお、該滑車取付金具１０２ａは、図５に示す前記親綱緊張器取付金具１０４と同様の構成のものである。
【００３８】
図１２は、前記丸太１０１の所定の高さ位置に、滑車取付金具１０２ａ及び滑車１０３を取り付けた状態を示すものであるが、図に示すように、丸太１０１各々に、滑車取付金具１０２ａが、Ｌ型アングル２０の内側面を丸太１０１の周側面に押し当てられて番線により締着され、該滑車取付金具１０２ａのＵ字状の鋼線材２１ａに、滑車１０３の掛着部３３がフック２２を介して装着される。これにより、前記実施の形態と同様に、滑車１０３によりロープ１０６が滑動自在に支持される。
【００３９】
このように、前記滑車取付金具１０２に代えて、Ｌ型アングル２０とＵ字状の鋼線材（線材）２１ａとからなる滑車取付金具１０２ａを用いた本変形例においても、前記実施の形態に係る解体工事養生用昇降ゲート１００と同様に、作業者がロープ１０６を下方向へ引っ張り、横桟１０７を滑車１０３付近まで上昇させれば、横桟１０７に吊設された養生シート１０８により、建物１の前面側が養生され、また、親綱緊張器１０５により、一旦、引っ張られたロープ１０６は上方向の引っ張り力に対してロックされているので、逆方向に戻されることがなく、横桟１０７は、滑車１０３付近の高さ位置に維持され、前記実施の形態と同様の効果を得ることができる。
【００４０】
なお、前記実施の形態に係る解体工事養生用昇降ゲート１００においては、養生シート１０８の下端に丸太９２を設けることとしたが、該丸太９２に代えて、養生シート１０８の下端の各鳩目８０毎に適当な錘を設けることにより、錘を取り外すことなく、養生シート１０８の開放を行うことができる。
【００４１】
また、前記実施の形態においては、ステンリング９０と回転ナスカン９１とからなる吊着手段１０９により、養生シート１０８が横桟１０７に吊設されるものとしたが、横桟１０８の昇降のみを行い、養生シート１０７を左右に開放することを必要としない場合には、例えば、紐やＳ字状のフックを吊着手段として、養生シート１０８を横桟１０７に吊設することとしてもよい。
【００４２】
【発明の効果】
以上説明したように、本発明に係る解体工事養生用昇降ゲートによれば、建物の前面側に所定の間隔をおいて立設された２本の丸太と、前記各丸太の所定の高さ位置に固定され、Ｌ型に曲折された板状部材と、螺旋状に曲成されて、該板状部材の外側面に、その軸線が該板状部材の曲折辺と立体的に直交するように固定された線材とを備えてなる滑車取付部材と、前記各滑車取付部材の線材に各々掛着された滑車と、前記各丸太の、前記各滑車取付部材の下方の所定の高さ位置に固定され、Ｌ型に曲折された板状部材と、Ｕ字状に曲成されて、該板状部材の外側面に、環を形成するように固定された線材とを備えてなる親綱緊張器取付部材と、前記各親綱緊張器取付部材に各々連結された親綱緊張器と、前記各滑車に各々滑動自在に支持されて、前記各親綱緊張器により緊張される索条と、前記各索条により吊り下げられて、前記丸太間に横設された横桟と、前記横桟に、吊着手段を介して吊設された養生シートとを具備するので、作業者が索条を引っ張り、該索条が親綱緊張器によりロックされて、横桟を任意の高さに位置せしめることができる。したがって、解体した部材の搬出等の必要がある場合には横桟を降下させ、それ以外の場合には横桟を解体すべき建物より上方にまで上昇させて、解体される建物の前面側の養生を、解体作業の効率を低下させることなく確実かつ簡便に行うことができる。
【００４３】
これにより、解体工事の作業中断時には、関係者以外が敷地内へ立ち入れないので火災や事故を未然に防止でき、また敷地の内部に重機やトラック等を保管した場合には、その盗難等を防止することもできる。さらに、解体工事の作業時においても、解体されている建物の内部が道路側に露呈されないのでプライバシーが確保され、また、解体工事による塵埃や解体された部材の飛散を防止することもできる。
【００４４】
また、本発明によれば、解体工事を行う建物の前面側に設けられた解体工事養生用昇降ゲートであって、建物の前面側に所定の間隔をおいて立設された２本の丸太と、前記各丸太の所定の高さ位置に固定され、Ｌ型に曲折された板状部材と、Ｕ字状に曲成されて、該板状部材の外側面に、環を形成するように固定された線材とを備えてなる滑車取付部材と、前記各滑車取付部材の線材に各々掛着された滑車と、前記各丸太の、前記各滑車取付部材の下方の所定の高さ位置に固定され、Ｌ型に曲折された板状部材と、Ｕ字状に曲成されて、該板状部材の外側面に、環を形成するように固定された線材とを備えてなる親綱緊張器取付部材と、前記各親綱緊張器取付部材に各々連結された親綱緊張器と、前記各滑車に各々滑動自在に支持されて、前記各親綱緊張器により緊張される索条と、前記各索条により吊り下げられて、前記丸太間に横設された横桟と、前記横桟に、吊着手段を介して吊設された養生シートとを具備するので、前記と同様の効果を得ることができる。
【００４５】
また、本発明によれば、前記養生シートは、その両側縁の所要の高さ位置において、前記各丸太に固着されているので、横桟を降下させた場合に、養生シートが各丸太に固着された位置から折り畳まれて、地面等に垂れることなく、効率的に収納される。
【００４６】
また、本発明によれば、前記養生シートは、その下端に錘が設けられているので、風等により養生シートが捲れ上がることを防止できる。
【００４７】
また、本発明によれば、前記吊着手段は、前記横桟に摺動自在に環装された複数のリング状部材と、前記各リング状部材に各々連結され、前記養生シートの上端を掛止する養生シート掛止部材とを具備するので、養生シートを左右のいずれかに寄せ集めて、丸太間を容易に開放することができる。これにより、開放された丸太間から重機等の出入を行うことができる。
【図面の簡単な説明】
【図１】本発明の実施の形態に係る解体工事養生用昇降ゲート１００の概略構成を示す正面図である。
【図２】滑車取付金具１０２の構成を示す斜視図である。
【図３】滑車１０３の構成を示す正面図である。
【図４】丸太１０１の所定の高さ位置に滑車取付金具１０２及び滑車１０３を取り付けた状態を示す側面図である。
【図５】親綱緊張器取付金具１０５の構成を示す斜視図である。
【図６】親綱緊張器１０５の構成を示す一部を破断した平面図である。
【図７】丸太１０１の所定の高さ位置に親綱緊張器取付金具１０４及び親綱緊張器１０５を取り付けた状態を示す側面図である。
【図８】横桟１０７の端部近傍を示す概略斜視図である。
【図９】吊着手段１０９の構成を示す正面図である。
【図１０】横桟１０７を任意の高さ位置に位置せしめた解体工事養生用昇降ゲート１００の状態を示す模式図である。
【図１１】養生シート１０８を開放する状態の解体工事養生用昇降ゲート１００を示す正面図である。
【図１２】丸太１０１の所定の高さ位置に滑車取付金具１０２ａ及び滑車１０３を取り付けた状態を示す側面図である。
【図１３】従来の解体工事の養生を示す概略斜視図である。
【符号の説明】
１００  解体工事養生用昇降ゲート
１０１  丸太
１０２、１０２ａ  滑車取付金具
１０３  滑車
１０４  親綱緊張器取付金具
１０５  親綱緊張器
１０６  ロープ
１０７  横桟
１０８  養生シート
１０９  吊着手段
２０、４０  Ｌ型アングル
２０ａ、４０ａ  曲折辺
２１、２１ａ、４１  鋼線材
９０  ステンリング
９１  回転ナスカン
【図１】
0003724707.tif 000002
【図２】
0003724707.tif 000003
【図３】
0003724707.tif 000004
【図４】
0003724707.tif 000005
【図５】
0003724707.tif 000006
【図６】
0003724707.tif 000007
【図７】
0003724707.tif 000008
【図８】
0003724707.tif 000009
【図９】
0003724707.tif 000010
【図１０】
0003724707.tif 000011
【図１１】
0003724707.tif 000012
【図１２】
0003724707.tif 000013
【図１３】
0003724707.tif 000014